(57)【要約】【課題】壁紙用の画像データを背景画像としての役割のみならず、より有効に活用する。【解決手段】ＥＥＰＲＯＭ７に記憶されたアドレス帳データ、スケジュールデータまたはＴＯＤＯリストデータの日付データを対象に検索して、この検索先の日付データが現在の日付と一致している際には、この日付データに予め関連付けられた画像データをもとに画像を背景画像（壁紙）として液晶表示部４に表示する。【選択図】      図１
2005191979.tif 000002
【特許請求の範囲】
【請求項１】
画像を表示する電子機器において、
日付を含む管理データと画像データとを関連付けて記憶する記憶手段と、
現在の日付を取得する日付取得手段と、
この日付取得手段により取得された日付が前記管理データに含まれる日付と一致した際に、前記管理データと関連付けられた前記画像データをもとに画像を表示させる第１の表示制御手段と
を具備したことを特徴とする電子機器。
【請求項２】
前記管理データには、通信先を示す通信先データが含まれ、
前記第１の表示制御手段により画像が表示された際に、前記通信先データが示す通信先への通信開始を受け付ける画面を表示させる第２の表示制御手段と、
この第２の表示制御手段により表示された画面に対する入力操作を受け付ける第１の入力手段と
を具備したことを特徴とする請求項１記載の電子機器。
【請求項３】
前記第１の表示制御手段により画像が表示された際に、前記画像データと関連付けられた前記管理データの表示要求を受け付ける画面を表示させる第３の表示制御手段と、
この第３の表示制御手段により表示された画面に対する入力操作を受け付ける第２の入力手段と
を具備したことを特徴とする請求項１記載の電子機器。
【請求項４】
画像を表示する通信端末において、
日付を含む管理データと画像データとを関連付けて記憶する記憶手段と、
現在の日付を取得する日付取得手段と、
この日付取得手段により得られた日付が前記管理データの日付と一致した際に、前記管理データと関連付けられた前記画像データをもとに待ち受け画面を表示させる表示制御手段と
を具備したことを特徴とする通信端末。
【発明の詳細な説明】
【技術分野】
【０００１】
本発明は、画像を表示できるディスプレイを備えた電子機器および通信端末に関する。
【背景技術】
【０００２】
例えば携帯型電話機等のディスプレイを備えた電子機器では、待ち受け時にディスプレイに背景画像（壁紙）を表示させることができる。この背景画像は、複数種類のうちユーザの好む画像データを選択して表示することができる。また、例えば特許文献１に開示されたように、特定の入力キーの押し下げにより背景画像を次々に切り替えることができるものや、例えば特許文献２に開示されたように、電子メールの受信時に、このメールに添付された画像データを背景画像として利用するものがある。
【特許文献１】特開２００２−３００２４１号公報
【特許文献２】特開２００３−０４６６１１号公報
【発明の開示】
【発明が解決しようとする課題】
【０００３】
前述したように、従来の電子機器では、壁紙用の画像データは、ユーザが機器を使用する際の背景画像の役割を果たしているが、この背景画像の表示以外の用途には使用されていなかった。
【０００４】
そこで、本発明の目的は、壁紙用の画像データを背景画像としての役割のみならず、より有効に活用することが可能になる電子機器および通信端末を提供することにある。
【課題を解決するための手段】
【０００５】
請求項１記載の発明は、画像を表示する電子機器において、日付を含む管理データと画像データとを関連付けて記憶する記憶手段と、現在の日付を取得する日付取得手段と、この日付取得手段により取得された日付が前記管理データに含まれる日付と一致した際に、前記管理データと関連付けられた前記画像データをもとに画像を表示させる第１の表示制御手段とを具備したことを特徴とする。
【０００６】
請求項２記載の発明は、前記請求項１記載の発明において、前記管理データには、通信先を示す通信先データが含まれ、前記第１の表示制御手段により画像が表示された際に、前記通信先データが示す通信先への通信開始を受け付ける画面を表示させる第２の表示制御手段と、この第２の表示制御手段により表示された画面に対する入力操作を受け付ける第１の入力手段とを具備したことを特徴とする。
【０００７】
請求項３記載の発明は、前記請求項１記載の発明において、前記第１の表示制御手段により画像が表示された際に、前記画像データと関連付けられた前記管理データの表示要求を受け付ける画面を表示させる第３の表示制御手段と、この第３の表示制御手段により表示された画面に対する入力操作を受け付ける第２の入力手段とを具備したことを特徴とする。
【０００８】
請求項４記載の発明は、画像を表示する通信端末において、日付を含む管理データと画像データとを関連付けて記憶する記憶手段と、現在の日付を取得する日付取得手段と、この日付取得手段により得られた日付が前記管理データの日付と一致した際に、前記管理データと関連付けられた前記画像データをもとに待ち受け画面を表示させる表示制御手段とを具備したことを特徴とする。
【発明の効果】
【０００９】
請求項１記載の発明によれば、現在の日付が、管理データ（例えばアドレス帳データ、スケジュールデータ、期限管理データ（ＴＯＤＯリスト）など）中の日付と一致した際に、この日付と関連した画像データをもとに画像を例えば背景画像（壁紙）として表示するので、画像データを単に背景画像としてのみ使用するだけでなく、現在の日付と関わる管理データの内容の把握を容易にするための表示に使用することができる。
【００１０】
請求項２記載の発明によれば、前記請求項１記載の発明の効果に加えて、現在の日付と関わる管理データ中の通信先への通信開始を、管理データ中からユーザが直接通信先を選択することなく、画像表示に伴って受け付けることができる。
【００１１】
請求項３記載の発明によれば、前記請求項１記載の発明の効果に加えて、現在の日付と関わる管理データの表示を、画像表示にしたがった簡単な操作で行なうことができる。
【００１２】
請求項４記載の発明によれば、通信端末のメモリで管理するアドレス帳データなどの管理データ中の日付が現在の日付と一致した際に、この日付と関連した画像データをもとに画像を例えば待ち受け時の背景画像（壁紙）として表示するので、画像データを単に背景画像としてのみ使用するだけでなく、現在の日付と関わるアドレス帳データなどの管理データの内容の把握を容易にするための表示に使用することができる。
【発明を実施するための最良の形態】
【００１３】
以下、本発明の実施の形態について図面を参照して説明する。  
図１は、本発明の実施の形態にしたがった携帯型電話機１の外観構成を示す図である。図２は、図１に示した携帯型電話機１のシステム構成を示すブロック図である。
【００１４】
携帯型電話機１は、該携帯型電話機１全体の制御を司る制御部２に、キー入力部３、液晶表示部４、無線通信を行なうためのアンテナ５、ＲＯＭ６、ＥＥＰＲＯＭ（Electrically Erasable and Programmable ROM）７、ＲＡＭ８、被写体を撮影するための撮像装置９、無線部１０、音声変換回路１１がそれぞれ接続される。
【００１５】
音声変換回路１１には、マイク（送話器）１２とスピーカ（受話器）１３とが接続される。また、制御部２には、現在の日付および時刻を計時する計時回路１４が備えられる。キー入力部３には、図１に示すように、複数のキーや押しボタンスイッチ等が設けられ、何れかのキーまたはスイッチが操作された際に、対応する制御信号を制御部２に出力する。
【００１６】
液晶表示部４は、制御部２から出力される文字データ、画像データに応じて、文字や画像を表示する。文字データは、例えば、電話番号や現在日時などのデータであり、画像データは、壁紙データや、撮像装置９により撮像された写真データである。壁紙データは、人物、風景、模様などを示すデータであり、通話またはキー入力を行なわない状態である待ち受け時の表示に用いられる。
【００１７】
ＲＯＭ６には、携帯型電話機１の各種制御動作に係るシステムプログラムおよび液晶表示部４に表示させる操作メニュー用の画像データ等が記憶される。ＥＥＰＲＯＭ７には、管理データ（アドレス帳データ、スケジュールデータ、ＴＯＤＯリストデータなど）を記憶する管理データ記憶エリアと、液晶表示部４に壁紙を表示するために利用される複数の画像データを記憶する画像記憶エリア、および画像記憶エリアから壁紙用として読み出した画像データを記憶する壁紙画像記憶エリアが設けられる。ＲＡＭ８は、制御部２が制御処理を実行する際にワークエリアとして用いられる。
【００１８】
撮像装置９は、光学系レンズ、ＣＣＤ、画像処理回路などを設けており、制御部２による制御にしたがって被写体を撮像して画像データに変換し、これを制御部２に出力する。制御部２は、撮像装置９から入力した画像データをもとに液晶表示部４に画像を表示させ、また、ＥＥＰＲＯＭ７に画像データを記憶させる。
【００１９】
無線部１０は、アンテナ５により受信した信号を復調してディジタル音声信号に変換して音声変換回路１１に出力し、また、音声変換回路１１から出力された送信用のディジタル音声信号を入力し、これを変調して得た信号をアンテナ５から送信する。
【００２０】
音声変換回路１１は、通話時において、マイク１２から入力したアナログ音声信号をディジタル音声信号に変換して、これを制御部２に出力し、また、無線部１０から入力したディジタル音声信号をアナログ音声信号に変換してスピーカ１３に出力する。
【００２１】
図３は、図１に示した携帯型電話機１のＥＥＰＲＯＭ７に記憶されるアドレス帳データの一例を示した図である。図４は、図１に示した携帯型電話機１のＥＥＰＲＯＭ７に記憶されるスケジュールデータの一例を示した図である。図５は、図１に示した携帯型電話機１のＥＥＰＲＯＭ７に記憶されるＴＯＤＯリストデータの一例を示した図である。
【００２２】
アドレス帳データは、通信相手ごとに、氏名、電話番号、メールアドレス、住所、誕生日、画像データファイル名（画像ファイル名）等のデータが関連付けられている。アドレス帳データにおける画像データファイル名は、通信相手の誕生日となった際に液晶表示部４に壁紙として表示させる画像データ（例えば通信相手の顔写真）のファイル名を示す。
【００２３】
スケジュールデータは、スケジュール内容ごとに、日付、時刻、画像データファイル名等のデータが関連付けられている。スケジュールデータにおける画像データファイル名は、スケジュール内容がある日付となった際に液晶表示部４に壁紙として表示させる画像データ（例えば、スポーツの試合の予定が組まれている際には、種目のイメージ画像）のファイル名を示す。
【００２４】
また、ＴＯＤＯリストデータは期限管理データのことであり、予め指定した終了期限日、終了期限日までに行なうべき項目、同項目の重要度、画像データファイル名等のデータが関連付けられている。ＴＯＤＯリストデータにおける画像データファイル名は、行なうべき項目の期限日となった際に、液晶表示部４に壁紙として表示させる画像データ（例えば、項目が事業計画書の作成であり、期限日がその事業計画書の提出期限日である場合には、書類を示すイメージ画像）のファイル名を示す。アドレス帳データ、スケジュールデータ、ＴＯＤＯリストデータ中の画像データファイル名に対応した画像データはＥＥＰＲＯＭ７の画像記憶エリアに記憶される。この画像データは、撮像装置９により撮像した画像であっても良いし、通信回線を介してネットワーク上のサーバ等からダウンロードして取得したものであっても良い。
【００２５】
次に、図１に示した携帯型電話機１による壁紙画像切り替え処理について、図６に示すフローチャートを参照しながら説明する。壁紙画像切り替え処理は、アドレス帳データ、スケジュールデータまたはＴＯＤＯリストデータを検索して、これらの管理データ内における日付データが、計時回路１４により計時された日付と一致する際に、この日付と関連付けられた画像データをもとに画像を壁紙として液晶表示部４に表示させる処理である。
【００２６】
壁紙画像切り替え処理を行なうか否かは、ユーザのキー操作による指定により任意に設定することができる。例えば、ユーザは、携帯型電話機１の電源がオンの状態で所定の操作を行なって、壁紙画像切り替え処理の実行の有無を設定するための制御モードの起動を要求する。制御部２は、設定用プログラムをＲＯＭ６から読み出して実行し、この制御モードの設定用画面を液晶表示部４に表示させる。ユーザは、この設定用画面に表示された指示にしたがってキー入力部３の操作を行なうことで壁紙画像切り替え処理を行なうか否かの設定を行なう。
【００２７】
以降、制御モードにより壁紙画像切り替え処理の実行を行なうように予め設定した際の処理動作を説明する。ＥＥＰＲＯＭ７の壁紙画像記憶エリアには、通常用の壁紙画像データが記憶され、待ち受け時に液晶表示部４に表示されている。
【００２８】
まず、携帯型電話機１は、電源がオフの状態で、キー入力部３における電源スイッチ（図示せず）がユーザにより操作されると電源オン状態にして各部を起動する（ステップＳ１）。制御部２は、計時回路１４で計時される日付を取得し、ＥＥＰＲＯＭ７の管理データ記憶エリアに記憶されているアドレス帳データの日付データを対象として検索する（ステップＳ２）。
【００２９】
この検索の結果、計時回路１４で計時された日付と一致する日付データがアドレス帳データ内にある場合（ステップＳ３のＹＥＳ）で、かつ、この日付データに画像データファイル名が関連付けられている場合（ステップＳ４のＹＥＳ）には、この画像データファイル名に対応した画像データを液晶表示部４に表示させるための壁紙として設定する（ステップＳ５）。
【００３０】
壁紙の設定手順としては、例えば、ＥＥＰＲＯＭ７における画像記憶エリアに記憶された各種画像データの中から壁紙として設定すべき画像データを読み出して、これを通常用の壁紙画像データに代えて壁紙画像記憶エリアに書き込む。
【００３１】
壁紙の設定後は、液晶表示部４に表示させるアドレス帳データを利用した各種処理操作メニューを設定し、この操作メニュー用の画像データをＲＯＭ６から読み出す（ステップＳ６）。この操作メニューは、現在の日付に該当する日付データがアドレス帳データから検索されたことから、例えば画像データに対応する通信相手の電話番号への電話の発信、または当該通信相手に対するメールの作成を行なうかを選択するためのものである。
【００３２】
制御部２は、ステップＳ５の処理で壁紙画像記憶エリアに記憶された画像データを読み出して、この画像データをもとに液晶表示部４に画像を壁紙として表示させ、さらにステップＳ６の処理で設定した操作メニュー用の画像データをもとに操作メニューを液晶表示部４に表示させる（ステップＳ７）。これにより、通信相手先の電話番号またはメールアドレス宛ての通信開始を受け付ける画面が表示される。
【００３３】
図７には、アドレス帳データの画像ファイル名が示す画像と操作メニューが表示された画面の一例を示している。図７は、現在の日付が２月１０日であり、図３に示すアドレス帳データの誕生日のデータを対象として検索した結果、氏名「○○○」に対応する誕生日「２月１０日」が検索された場合を示している。
【００３４】
アドレス帳データには、氏名「○○○」の誕生日「２月１０日」に対して画像ファイル名「画像Ａ」が記憶されている。従って、図７に示すように、例えば氏名「○○○」の相手の顔を撮影した「画像Ａ」１５が表示される。
【００３５】
また、操作メニュー１６ａとして、画像ファイル名「画像Ａ」に対応する電話番号「０９０−１２３４−６７８９」への発信を受け付けるための「１．ＴＥＬする」と、メールアドレス「ａｂｃ＠ｄｅｆ．ｈｉｊ．ｊｐ」へのメール作成を受け付けるための「２．メールする」の項目がウインドウ表示される。  
こうして、操作メニューの他に壁紙として通信相手の顔画像が表示されるので通信先、すなわち誕生日を迎えた相手を容易に把握することができる。
【００３６】
図７に示した画面において、「１．ＴＥＬする」と「２．メールする」のうち何れかの項目がキー操作により選択された際（ステップＳ８のＹＥＳ）には、この操作に応じた制御処理がなされる（ステップＳ９）。例えば、図７に示した画面において、キー入力部３の“１”のキー（図１参照）の押下により、「１．ＴＥＬする」の項目が選択された場合には、ＥＥＰＲＯＭ７に記憶されるアドレス帳データにおいて、液晶表示部４に表示されている壁紙用の画像データに関連付けられたアドレス帳データ中の電話番号が読み出され、この電話番号に対する電話の発信処理がなされる。
【００３７】
ここでは、壁紙用の画像データである「画像Ａ」１５に関連付けられる電話番号「０９０−１２３４−６７８９」を対象として発信処理がなされる。この場合、制御部２は、図８に示すように、呼び出し中の画面を表示させる。
【００３８】
また、図７に示した画面において、キー入力部３の“２”のキー（図１参照）の押下により、「２．メールする」の項目が選択された場合には、ＥＥＰＲＯＭ７に記憶されるアドレス帳データにおいて、液晶表示部４に表示されている壁紙用の画像データに関連付けられたメールアドレスを読み出し、このメールアドレスを宛先としたメール作成画面の表示処理がなされる。このメール作成画面の一例を図９に示す。
【００３９】
ここでは、壁紙用の画像データである「画像Ａ」１５に関連付けられるメールアドレス「ａｂｃ＠ｄｅｆ．ｈｉｊ．ｊｐ」を対象としてメール作成画面を表示させる。図９に示したメール作成画面では、宛先「ａｂｃ＠ｄｅｆ．ｈｉｊ．ｊｐ」と件名「誕生日おめでとう」が自動的に入力されているため、ユーザは、キー入力により本文を入力する操作をするだけで良い。なお、必要に応じて件名の変更および添付ファイルの設定などの操作についても任意に行なうことができる。また、図９に示す例では、現在の日付をもとにアドレス帳データの誕生日のデータを対象として検索しているため、件名として「誕生日おめでとう」を自動入力しているが、他の日付に関するデータを検索対象とする場合には、その日付に応じた件名のデータが予め用意されるものとする。
【００４０】
次に、ステップＳ２による検索の結果、アドレス帳データ内の日付データが計時回路１４により計時された日付と一致しない場合（ステップＳ３のＮＯ）、または、現在の日付と一致する日付データがアドレス帳データ内にあった場合でも、例えば図３に示したアドレス帳データ中の、３月３日が誕生日の通信相手のように、画像データファイル名が関連付けられていない場合（ステップＳ４のＮＯ）の処理について説明する。
【００４１】
この場合には、ＥＥＰＲＯＭ７の管理データ記憶エリアに記憶されているスケジュールデータの日付データを対象として検索する（ステップＳ１０）。この検索の結果、計時回路１４で計時された日付と一致する日付データがスケジュールデータ内にある場合（ステップＳ１１のＹＥＳ）で、かつ、この日付データに画像データファイル名が関連付けられる場合（ステップＳ１２のＹＥＳ）には、この画像データファイル名に対応する画像データを液晶表示部４に表示させるための壁紙として設定する（ステップＳ１３）。
【００４２】
壁紙の設定後は、スケジュールの内容等を液晶表示部４に表示させるための操作メニューを設定し、この操作メニュー用の画像データをＲＯＭ６から読み出す（ステップＳ１４）。この操作メニューは、ステップＳ６の処理で設定したものと異なり、現在の日付に該当する日付データがスケジュールデータから検索されたことから、当日のスケジュール内容等の表示を決定するためのものである。
【００４３】
制御部２は、ステップＳ１３の処理で壁紙画像記憶エリアに記憶された画像データを読み出して、この画像データをもとに画像を液晶表示部４に壁紙として表示させ、さらにステップＳ１４の処理で設定した操作メニュー用の画像データをもとに操作メニューをステップＳ７の処理のように液晶表示部４に表示させる。
【００４４】
図１０には、スケジュールデータの画像ファイル名が示す画像と操作メニューが表示された画面の一例を示している。図１０は、現在の日付が４月１１日であり、図４に示すスケジュールデータの日付のデータを対象として検索した結果、スケジュール内容「×××△」に対応する日付「４月１１日」が検索された場合を示している。
【００４５】
スケジュールデータには、スケジュール内容「×××△」の日付「４月１１日」に対して画像ファイル名「画像Ｆ」が記憶されている。従って、図１０に示すように、例えばスケジュール内容「×××△」に対応した「画像Ｆ」が表示される。
【００４６】
また、操作メニュー用のウインドウ１６ｂとして、画像ファイル名「画像Ｆ」に対応するスケジュールの日付時刻「４月１１日  １５：００」およびスケジュール内容「×××△」の表示決定を受け付けるためのＯＫアイコン１７ｂならびにメッセージ「スケジュールを確認して下さい」がウインドウ表示される。
【００４７】
こうして、操作メニューの他に壁紙として当日に予定されているスケジュール内容の種別を示す画像が表示されるので、当日に予定されているスケジュールの種別を容易に把握することができる。
【００４８】
図１０に示した画面において、ＯＫアイコン１７ｂがキー操作により選択された際には、ステップＳ９と同様の処理を行なう。つまり、図１０に示したＯＫアイコン１７ｂが選択された際に、ＥＥＰＲＯＭ７に記憶されるスケジュールデータにおいて、液晶表示部４に表示した画像データに関連付けられた日付時刻及びスケジュール内容のデータが読み出され、これらをもとに日付時刻及びスケジュール内容が液晶表示部４に表示される。
【００４９】
ここでは、「画像Ｆ」に関連付けられる日付時刻「４月１１日  １５：００」、内容「×××△」を対象として表示処理がなされる。この場合、制御部２は、図１１に示すように、スケジュールの日付時刻およびスケジュール内容を示すウインドウ１６ｃをウインドウ１６ｂに代えて液晶表示部４に表示させる。
【００５０】
次に、ステップＳ１０による検索の結果、現在の日付と一致する日付データがスケジュールデータ内に無い場合（ステップＳ１１のＮＯ）、または、スケジュールデータ内に現在の日付と一致する日付データが登録されていた場合でも、例えば図４に示したスケジュールデータにおける４月１７日のスケジュールのように画像データファイル名が関連付けられていない場合（ステップＳ１２のＮＯ）の処理について説明する。
【００５１】
この場合には、ＥＥＰＲＯＭ７の管理データ記憶エリアに記憶されているＴＯＤＯリストデータの日付データを対象として検索する（ステップＳ１５）。この検索の結果、計時回路１４で計時された日付と一致する日付データがＴＯＤＯリストデータ内にある場合（ステップＳ１６のＹＥＳ）で、かつ、この日付データに画像データファイル名が関連付けられる場合（ステップＳ１７のＹＥＳ）には、この画像データファイル名に対応する画像データを液晶表示部４に表示させるための壁紙として設定する（ステップＳ１８）。
【００５２】
壁紙の設定後は、ＴＯＤＯリストの項目や同項目の重要度等を液晶表示部４に表示させるための操作メニューを設定し、この操作メニュー用の画像データをＲＯＭ６から読み出す（ステップＳ１９）。この操作メニューは、ステップＳ６やＳ１４の処理で設定したものと異なり、現在の日付に該当する日付データがＴＯＤＯリストデータから検索されたことから、現在の日付が期限日である項目等の表示を決定するためのものである。
【００５３】
制御部２は、ステップＳ１８の処理で壁紙画像記憶エリアに記憶された画像データを読み出して、この画像データをもとに液晶表示部４に画像を壁紙として表示させ、さらにステップＳ１９の処理で設定した操作メニュー用の画像データをもとに操作メニューをステップＳ７の処理のように液晶表示部４に表示させる。
【００５４】
図１２には、ＴＯＤＯリストデータの画像ファイル名が示す画像と操作メニューが表示された画面の一例を示している。図１０は、図５に示すＴＯＤＯリストデータの期限日のデータを対象として検索した結果、項目「○○×」に対応する終了期限日「４月２０日」が検索された場合を示している。
【００５５】
ＴＯＤＯリストデータには、項目「○○×」の終了期限日「４月２０日」に対して画像ファイル名「画像Ｈ」が記憶されている。従って、図１２に示すように、例えば項目「○○×」に対応した「画像Ｈ」が表示される。
【００５６】
また、操作メニュー用のウインドウ１６ｄとして、画像ファイル名「画像Ｈ」に対応する項目「○○×」、同項目の重要度「Ａ」および終了期限日「４月２０日」の表示決定を受け付けるためのＯＫアイコン１７ｄならびにメッセージ「ＴＯＤＯリストを確認して下さい」がウインドウ表示される。
【００５７】
こうして、操作メニューの他に壁紙として当日が終了期限日である項目の種別を示す画像が表示されるので、当日が終了期限日である項目の種別を容易に把握することができる。
【００５８】
図１２に示した画面において、ＯＫアイコン１７ｄがキー操作により選択された際にはステップＳ９と同様の処理を行なう。つまり、図１２に示したＯＫアイコン１７ｄがキー操作により選択された際に、ＥＥＰＲＯＭ７に記憶されるＴＯＤＯリストデータにおいて、液晶表示部４に表示した画像データに関連付けられた項目、重要度、期限日のデータが読み出され、これらをもとに項目、重要度、期限日が液晶表示部４に表示される。
【００５９】
ここでは、「画像Ｈ」に関連付けられる期限日「４月２０日」、項目「○○×」、重要度「Ａ」を対象として表示処理がなされる。この場合、制御部２は、図１３に示すように、ＴＯＤＯリストの項目、同項目の重要度および期限日を示すウインドウ１６ｅをウインドウ１６ｄに代えて液晶表示部４に表示させる。
【００６０】
次に、ステップＳ１５による検索の結果、現在の日付と一致する日付データがＴＯＤＯリストデータ内に無い場合（ステップＳ１６のＮＯ）、または、日付データがあった場合でも、例えば図５に示したＴＯＤＯリストデータにおける、４月２５日が期限日である項目のように画像データファイル名が関連付けられていない場合（ステップＳ１７のＮＯ）には、制御部２は、予めＥＥＰＲＯＭ７の壁紙画像記憶エリアに記憶された通常用の壁紙画像データを読み出して、この画像データをもとにして液晶表示部４に画像が壁紙として表示されるように制御する（ステップＳ２０）。以降は、ステップＳ７以降の同様の処理を行なう。
【００６１】
以上、詳述した実施の形態において説明した携帯型電話機１によれば、アドレス帳データ、スケジュールデータ、ＴＯＤＯリストデータのなかから、当日と関連するデータを読み出し、このデータに予め関連付けられた画像データをもとに画像を壁紙として液晶表示部４に表示するので、例えば前述したようにアドレス帳データと通信相手の顔画像データを関連付けていた場合には、当日が誕生日である通信相手の顔画像データが自動的に液晶表示部４に表示されることになり、氏名などの文字情報のみを表示した場合と比較して通信相手の把握が容易に行なえる。よって、画像データを単に背景画像としてのみ使用するだけでなく、現在の日付と関わる管理データの内容の把握を容易にするための表示に使用することができる。
【００６２】
前述した実施の形態では、携帯型電話機１の電源オン後にまずアドレス帳データを検索し、このアドレス帳データに現在の日付と一致する日付データが無い場合にスケジュールデータを検索し、このスケジュールデータに現在の日付と一致する日付データが無い場合にＴＯＤＯリストデータを検索する手順としたが、この検索対象の優先順位は異なっていてもよい。また、ユーザが優先順位を任意に設定できるようにしても良い。
【００６３】
また、前述した実施形態では、ＥＥＰＲＯＭ７に記憶されているアドレス帳データ、スケジュールデータまたはＴＯＤＯリストデータを検索し、これらの管理データに含まれる日付データのうち計時回路１４で計時される日付と一致する日付があるか否かを判別する手順としたが、例えば図４に示したスケジュールデータのように、日付データに時刻データが関連付けられる管理データの検索を行なう場合には、計時回路１４で計時される日付および時刻を取得し、この計時された日付および時刻が管理データ中の日付およびこれに関連する時刻データと一致するか否かを判別するようにしてもよい。
【００６４】
また、前述した携帯型電話機１では、計時回路１４により計時された日付が、図４に示したスケジュールデータ、または図５に示したＴＯＤＯリストデータに含まれる日付データと一致した際に、スピーカ１３からアラーム音を出力するように制御することができる。例えば、携帯型電話機１の電源をオン状態とした後に検索したデータがスケジュールデータであった場合には、アラーム音を出力するとともにステップＳ１３以降の処理を行ない、検索したデータがＴＯＤＯリストデータであった場合には、アラーム音を出力するとともにステップＳ１８以降の処理を行なうように制御する。
【００６５】
なお、前記実施の形態は、本発明を携帯型電話機１に適用した場合について説明したものであるが、これに限らず、表示部を搭載し、かつ、画像データをもとに画像を壁紙として表示する機能を有する機器であれば、パーソナルコンピュータ、ＰＤＡ（Personal Digital Assistant：個人向け携帯情報端末）、もしくはそれを含むシステム等にも本発明を適用することが可能である。
【００６６】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６７】
【図１】本発明の実施の形態にしたがった携帯型電話機の外観構成を示す図。
【図２】図１に示した携帯型電話機のシステム構成を示すブロック図。
【図３】図１に示した携帯型電話機のＥＥＰＲＯＭに記憶されるアドレス帳データの一例を示した図。
【図４】図１に示した携帯型電話機のＥＥＰＲＯＭに記憶されるスケジュールデータの一例を示した図。
【図５】図１に示した携帯型電話機のＥＥＰＲＯＭに記憶されるＴＯＤＯリストデータの一例を示した図。
【図６】図１に示した携帯型電話機による壁紙画像切り替え処理の内容を示すフローチャート。
【図７】壁紙画像切り替え処理において、アドレス帳データを検索した際の表示画面の一例（その１）。
【図８】壁紙画像切り替え処理において、アドレス帳データを検索した際の表示画面の一例（その２）。
【図９】壁紙画像切り替え処理において、アドレス帳データを検索した際の表示画面の一例を示す図（その３）。
【図１０】壁紙画像切り替え処理において、スケジュールデータを検索した際の表示画面の一例を示す図（その１）。
【図１１】壁紙画像切り替え処理において、スケジュールデータを検索した際の表示画面の一例を示す図（その２）。
【図１２】壁紙画像切り替え処理において、ＴＯＤＯリストデータを検索した際の表示画面の一例を示す図（その１）。
【図１３】壁紙画像切り替え処理において、ＴＯＤＯリストデータを検索した際の表示画面の一例を示す図（その２）。
【符号の説明】
【００６８】
１…携帯型電話機、２…制御部、３…キー入力部、４…液晶表示部、５…アンテナ、６…ＲＯＭ、７…ＥＥＰＲＯＭ、８…ＲＡＭ、９…撮像装置、１０…無線部、１１…音声変換回路、１２…マイク（送話器）、１３…スピーカ（受話器）、１４…計時回路。
【図１】
2005191979.tif 000003
【図２】
2005191979.tif 000004
【図３】
2005191979.tif 000005
【図４】
2005191979.tif 000006
【図５】
2005191979.tif 000007
【図６】
2005191979.tif 000008
【図７】
2005191979.tif 000009
【図８】
2005191979.tif 000010
【図９】
2005191979.tif 000011
【図１０】
2005191979.tif 000012
【図１１】
2005191979.tif 000013
【図１２】
2005191979.tif 000014
【図１３】
2005191979.tif 000015